(57)【要約】【課題】従来と比して一段と利便性を向上させた映像処理装置を実現する。【解決手段】テレビジョン放送受信装置１は、受信した複数のテレビジョン映像音声信号のうちの少なくとも１つを分析して、当該テレビジョン映像音声信号に有用な情報が含まれているかどうかを常時判別し、当該判別結果に基づいて、テレビジョン映像音声信号を選択するようにしたことにより、例えば、所定のテレビジョン映像音声信号に有用な情報が含まれている場合に、当該テレビジョン映像音声信号を自動的に選択して、当該テレビジョン映像音声信号に基づく映像をリアルタイムに表示させることができるので、従来と比して一段と利便性を向上させることができる。【選択図】図２
2009100365.tif 000002
【特許請求の範囲】
【請求項１】
複数の映像信号を受信する受信部と、
上記受信部により受信された上記複数の映像信号のうちの少なくとも１つを選択する映像信号選択部と、
上記映像信号選択部により選択された映像信号に基づく映像を所定の表示デバイスに表示させる表示制御部と、
上記受信部により受信された上記複数の映像信号のうちの少なくとも１つを常時分析することで、当該映像信号に有用な情報が含まれているかどうかを常時判別する分析部と
を具え、
上記映像信号選択部は、上記分析部による分析結果に基づいて、上記映像信号を選択する
ことを特徴とする映像処理装置。
【請求項２】
上記分析部は、
上記映像信号に、有用な情報として特定の映像、特定の文字、放送におけるメタデータ情報が含まれているかどうかを判別する
ことを特徴とする請求項１に記載の映像処理装置。
【請求項３】
上記映像信号選択部は、
上記分析部による上記映像信号の分析結果として、当該映像信号に有用な情報が含まれていると判別された時点で、当該映像信号を選択する
ことを特徴とする請求項１に記載の映像処理装置。
【請求項４】
上記映像信号選択部は、
所定の映像信号を選択している状態で、上記分析部により当該所定の映像信号とは別の映像信号に有用な情報が含まれていると判別されると、当該所定の映像信号とともに有用な情報が含まれていると判別された映像信号を選択し、
上記表示制御部は、
上記映像信号選択部により選択された上記所定の映像信号に基づく映像の一部に、有用な情報が含まれていると判別された映像信号に基づく映像を表示させる
ことを特徴とする請求項１に記載の映像処理装置。
【請求項５】
複数の映像信号を受信する受信ステップと、
上記受信ステップで受信した上記複数の映像信号のうちの少なくとも１つを常時分析することで、当該映像信号に有用な情報が含まれているかどうかを常時判別する分析ステップと、
上記分析ステップでの分析結果に基づいて、上記受信ステップで受信した上記複数の映像信号のうちの少なくとも１つを選択する映像信号選択ステップと、
上記映像信号選択ステップで選択された映像信号に基づく映像を所定の表示デバイスに表示させる表示ステップと
を具えることを特徴とする映像処理方法。
【請求項６】
映像処理装置に対して、
複数の映像信号を受信部で受信する受信ステップと、
上記受信ステップで受信した上記複数の映像信号のうちの少なくとも１つを常時分析することで、当該映像信号に有用な情報が含まれているかどうかを常時判別する分析ステップと、
上記分析ステップでの分析結果に基づいて、上記受信ステップで受信した上記複数の映像信号のうちの少なくとも１つを選択する映像信号選択ステップと、
上記映像信号選択ステップで選択された映像信号に基づく映像を所定の表示デバイスに表示させる表示ステップと
を実行させることを特徴とする映像処理プログラム。
【発明の詳細な説明】
【技術分野】
【０００１】
本発明は、映像処理装置、映像処理方法及び映像処理プログラムに関し、例えば、複数の映像信号を同時に受信可能な映像処理装置に適用して好適なものである。
【背景技術】
【０００２】
近年、ハードディスクなどの大容量記録媒体に番組映像を録画するようにした番組録画装置が広く普及している。この種の番組録画装置の中には、録画した番組映像から有用な部分（例えば、スポーツ番組での得点シーンなど）を抽出し、この部分をダイジェスト映像として再生する機能を有するものがある（例えば特許文献１参照）。
【０００３】
このような番組録画装置では、例えば、録画した番組映像を分析して、その分析の結果に基づき、番組映像から有用な部分をダイジェスト映像として抽出するようになされている。
【０００４】
ところで、上述したような番組録画装置では、録画した番組映像からダイジェスト映像を抽出するので、ダイジェスト映像を再生するには、その前提として番組映像を録画しておく必要がある。このため、この番組録画装置では、録画していない番組映像のダイジェスト映像を再生することはできない。
【０００５】
一方、放送中の番組映像とは別のチャンネルで、この番組映像からほぼリアルタイムに抽出したダイジェスト映像を放送する放送システムも提案されている（例えば特許文献２参照）。しかしながら、この放送システムでは、このシステムに対応したチャンネルを選択しないとダイジェスト映像を再生できず、複数のチャンネルのうちのどのチャンネルでどのようなダイジェスト映像が放送されているのかをユーザ（視聴者）に容易に知らせることはできなかった。
【特許文献１】特開２００６−１４０８５公報
【特許文献２】特開２００１−５４０７９公報
【発明の開示】
【発明が解決しようとする課題】
【０００６】
上述したように従来、番組映像の受信側（例えば番組録画装置）では、番組映像を録画しないとダイジェスト映像を再生することができず、結果として、スポーツ番組のようなリアルタイム性が要求される番組映像のダイジェスト映像をリアルタイムに再生することはできなかった。
【０００７】
一方、番組映像の送信側（例えば放送システム）では、ダイジェスト映像を放送しているチャンネルを選択しないとダイジェスト映像を再生することができず、結果として、どのチャンネルでどのようなダイジェスト映像が放送されるのかをユーザ（視聴者）が事前に知っていないとダイジェスト映像を受信機側でリアルタイムに再生することはできなかった。因に、ここで言うリアルタイムとは、厳密に同一時間でなくてもよく、例えば、番組映像が放送された時点から数十秒乃至数分程度後までを含むものとする。また、ここで言う映像とは、静止画像及び動画像を含むものとする。
【０００８】
このように、従来では、複数の番組映像が受信可能な環境下で、番組映像の有用な部分を再生する場合に、リアルタイム性が欠如することにより、利便性が損なわれてしまう問題があった。
【０００９】
本発明は以上の点を考慮してなされたもので、従来と比して一段と利便性を向上させ得る映像処理装置、映像処理方法及び映像処理プログラムを提案しようとするものである。
【課題を解決するための手段】
【００１０】
かかる課題を解決するため本発明においては、複数の映像信号を受信する受信部と、受信部により受信された複数の映像信号のうちの少なくとも１つを選択する映像信号選択部と、映像信号選択部により選択された映像信号に基づく映像を所定の表示デバイスに表示させる表示制御部と、受信部により受信される複数の映像信号のうちの少なくとも１つを常時分析することで、当該映像信号に有用な情報が含まれているかどうかを常時判別する分析部とを設け、映像信号選択部が、分析部による判別結果に基づいて、映像信号を選択するようにした。
【００１１】
このように、受信した複数の映像信号のうちの少なくとも１つを常時分析して、当該映像信号に有用な情報が含まれているかどうかを常時判別し、当該判別結果に基づいて、映像信号を選択するようにしたことにより、例えば、ある映像信号に有用な情報が含まれている場合に、当該映像信号を自動的に選択して、当該映像信号に基づく映像をリアルタイムに表示させることができる。
【発明の効果】
【００１２】
本発明によれば、受信した複数の映像信号のうちの少なくとも１つを分析して、当該映像信号に有用な情報が含まれているかどうかを常時判別し、当該判別結果に基づいて、映像信号を選択するようにしたことにより、例えば、ある映像信号に有用な情報が含まれている場合に、当該映像信号を自動的に選択して、当該映像信号に基づく映像をリアルタイムに表示させることができ、かくして従来と比して一段と利便性を向上させ得る映像処理装置、映像処理方法及び映像処理プログラムを実現できる。
【発明を実施するための最良の形態】
【００１３】
以下、図面について、本発明の一実施の形態を詳述する。
【００１４】
（１）第１の実施の形態
（１−１）テレビジョン放送受信装置の構成
図１において１は、第１の実施の形態によるテレビジョン放送受信装置の構成を示している。このテレビジョン放送受信装置１では、制御部２が、メモリ３に記憶されているプログラムにしたがって各種処理を実行すると共に、受光部４を介してリモートコントローラ（以下、リモコンとも呼ぶ）ＲＭより入力される操作信号（つまりユーザ操作）をコマンドとして受け取り、このコマンドに応じて各部の動作を統括的に制御するようになされている。
【００１５】
このテレビジョン放送受信装置１は、単一のテレビジョン放送を受信してその映像を表示する機能だけでなく、複数のテレビジョン放送を受信して、それらの映像を１画面に表示する機能を有している。
【００１６】
実際上、単一のテレビジョン放送を受信してその映像を表示する場合、テレビジョン放送受信装置１は、まず、制御部２の制御のもと、アンテナ５を介して受信したテレビジョン放送信号を放送受信部６Aに入力する。
【００１７】
放送受信部６Ａは、アナログ放送のＲＦ（Radio  Frequency）信号やデジタル放送のビットストリーム信号など、各種テレビジョン放送信号に対応し、入力されたテレビジョン放送信号から所定のチャンネル（例えば、リモコンＲＭの操作により選択されたチャンネル）のテレビジョン放送信号を抽出する。そして放送受信部６Ａは、抽出したテレビジョン放送信号に対して所定の復調処理を施すことにより、デジタルのテレビジョン映像音声信号を得、これを出力する。
【００１８】
このようにして放送受信部６Ａから出力されたデジタルのテレビジョン映像音声信号は、映像音声処理部７Ａに入力される。映像音声処理部７Ａは、入力されたテレビジョン映像音声信号をテレビジョン映像信号（これをＴＶ映像信号とも呼ぶ）とテレビジョン音声信号（これをＴＶ音声信号とも呼ぶ）とに分離する。そして映像音声処理部７Ａは、ＴＶ映像信号に対して、後段の表示デバイス８での表示に適したフォーマットとなるよう解像度変換や色変換などの所定のデジタル処理を施したうえで出力するとともに、ＴＶ音声信号に対して、イコライジング処理などの所定のデジタル処理を施したうえで出力する。
【００１９】
このようにして映像音声処理部７Ａから出力されたＴＶ映像信号及びＴＶ音声信号は、映像音声選択部９に入力される。映像音声選択部９は、制御部２の制御のもと、映像音声処理部７Ａより入力されたＴＶ映像信号及びＴＶ音声信号を選択し、ＴＶ映像信号を後段の表示デバイス８で表示可能な映像信号に変換して表示デバイス８に出力するとともに、ＴＶ音声信号を後段のスピーカ１０で再生可能な音声信号に変換してスピーカ１０に出力する。
【００２０】
この結果、映像音声選択部９から出力された映像信号に基づく映像、つまり単一のテレビジョン放送の映像が表示デバイス８の画面に表示されるとともに、映像音声選択部９から出力された音声信号に基づく音声、つまり単一のテレビジョン放送の音声がスピーカ１０から出力される。
【００２１】
このようにしてこのテレビジョン放送受信装置１は、単一のテレビジョン放送を受信してその映像を表示するようになされている。
【００２２】
これに対して、複数のテレビジョン放送を受信して、それらの映像を１画面に表示する場合、テレビジョン放送受信装置１は、制御部２の制御のもと、アンテナ５を介して受信したテレビジョン放送信号を放送受信部６Aと放送受信部６Ｂとに入力する。放送受信部６Ａは、入力されたテレビジョン放送信号から所定のチャンネル（例えば、リモコンＲＭの操作により選択されたチャンネル）のテレビジョン放送信号を抽出して、さらにこの抽出したテレビジョン放送信号に対して所定の復調処理を施すことにより、デジタルのテレビジョン映像音声信号を得、これを出力する。
【００２３】
このようにして放送受信部６Ａから出力されたデジタルのテレビジョン映像音声信号は、映像音声処理部７Ａに入力される。映像音声処理部７Ａは、入力されたテレビジョン映像音声信号をＴＶ映像信号とＴＶ音声信号とに分離する。そして映像音声処理部７Ａは、ＴＶ映像信号に対して、後段の表示デバイス８での表示に適したフォーマットとなるよう解像度変換や色変換などの所定のデジタル処理を施したうえで出力するとともに、ＴＶ音声信号に対して、イコライジング処理などの所定のデジタル処理を施したうえで出力する。
【００２４】
これと同時に、放送受信部６Ｂは、入力されたテレビジョン放送信号から所定のチャンネル（例えば、リモコンＲＭの操作により選択されたチャンネルであり、放送受信部６Ａで選択したチャンネルと同チャンネルでも別チャンネルでもよい）のテレビジョン放送信号を抽出して、さらにこの抽出したテレビジョン放送信号に対して所定の復調処理を施すことにより、デジタルのテレビジョン映像音声信号を得、これを出力する。
【００２５】
このようにして放送受信部６Ｂから出力されたデジタルのテレビジョン映像音声信号は、映像音声処理部７Ｂに入力される。映像音声処理部７Ｂは、入力されたテレビジョン映像音声信号をＴＶ映像信号とＴＶ音声信号とに分離する。そして映像音声処理部７Ｂは、ＴＶ映像信号に対して、後段の表示デバイス８での表示に適したフォーマットとなるよう解像度変換や色変換などの所定のデジタル処理を施したうえで出力するとともに、ＴＶ音声信号に対して、イコライジング処理などの所定のデジタル処理を施したうえで出力する。
【００２６】
このようにして映像音声処理部７Ａから出力されたＴＶ映像信号及びＴＶ音声信号と映像音声処理部７Ｂから出力されたＴＶ映像信号及びＴＶ音声信号とは、映像音声選択部９に入力される。映像音声選択部９は、制御部２の制御のもと、例えば、映像音声処理部７Ａより入力されたＴＶ映像信号及びＴＶ音声信号をメインのＴＶ映像信号及びＴＶ音声信号として選択するとともに、映像音声処理部７Ｂより入力されたＴＶ映像信号をサブのＴＶ映像信号として選択する。そして映像音声選択部９は、メインのＴＶ映像信号に基づく映像の一部にサブのＴＶ映像信号に基づく映像が表示（すなわちピクチャインピクチャ）されるようメインのＴＶ映像信号とサブのＴＶ映像信号とを合成して１つの映像信号とし、この映像信号を後段の表示デバイス８で表示可能な映像信号に変換して出力するとともに、メインのＴＶ音声信号を後段のスピーカ１０で再生可能な音声信号に変換してスピーカ１０に出力する。
【００２７】
この結果、映像音声選択部９から出力された映像信号に基づく映像、つまり複数のテレビジョン放送の映像が表示デバイス８の画面に表示されるとともに、映像音声選択部９から出力された音声信号に基づく音声、つまり複数のテレビジョン放送のうちの１つの音声がスピーカ１０から出力される。
【００２８】
このようにしてこのテレビジョン放送受信装置１は、複数のテレビジョン放送を受信して、それらの映像を１画面に表示するようになされている。
【００２９】
さらに、このテレビジョン放送受信装置１は、インターネットＮＴに接続してホームページの画像を表示する機能も有している。実際上、テレビジョン放送受信装置１は、制御部２の制御のもと、通信部１１を介してインターネットＮＴに接続する。そしてテレビジョン放送受信装置１は、インターネットＮＴ上の所定のＷｅｂサーバ（図示せず）に対してホームページのデータを要求することでＷｅｂサーバから送信されてくるホームページの映像信号（これをページデータとも呼ぶ）を通信部１１で受信する。
【００３０】
このようにして通信部１１で受信されたページデータは、画像処理部１２に入力される。画像処理部１２は、入力されたページデータをもとに、後段の表示デバイス８への表示に適したフォーマットでなるページ画像信号を生成して、これを出力する。
【００３１】
このようにして画像処理部１２から出力されたページ画像信号は、映像音声選択部９に入力される。映像音声選択部９は、制御部２の制御のもと、画像処理部１２より入力されたページ画像信号を選択し、このページ画像信号を、後段の表示デバイス８で表示可能な画像信号に変換して表示デバイス８に出力する。
【００３２】
この結果、映像音声選択部９から出力された画像信号に基づく画像、つまりホームページの画像が表示デバイス８の画面に表示される。
【００３３】
このようにしてこのテレビジョン放送受信装置１は、インターネットＮＴに接続してホームページの画像を表示するようになされている。
【００３４】
さらに、このテレビジョン放送受信装置１は、テレビジョン放送の映像と、ホームページの画像とを１画面に表示し得るようにもなされている。この場合、テレビジョン放送受信装置１は、制御部２の制御のもと、放送受信部６Ａ及び映像音声処理部７Ａによるテレビジョン放送に対する処理と、通信部１１及び画像処理部１２によるページデータに対する処理とを同時に行う。この結果、映像音声選択部９には、映像音声処理部７Ａから出力されたＴＶ映像信号及びＴＶ音声信号と、画像処理部１２から出力されたページ画像信号とが入力される。
【００３５】
ここで映像音声選択部９は、制御部２の制御のもと、例えば、映像音声処理部７Ａより入力されたＴＶ映像信号及びＴＶ音声信号をメインの信号として選択するとともに、画像処理部１２より入力されたページ画像信号をサブの信号として選択する。そして映像音声選択部９は、メインのＴＶ映像信号に基づく映像の一部にサブのページ画像信号に基づく画像が表示（すなわちピクチャインピクチャ）されるようメインのＴＶ映像信号とサブのページ画像信号とを合成して１つの映像信号とし、この映像信号を後段の表示デバイス８で表示可能な映像信号に変換して出力するとともに、メインのＴＶ音声信号を後段のスピーカ１０で再生可能な音声信号に変換してスピーカ１０に出力する。
【００３６】
この結果、映像音声選択部９から出力された映像信号に基づく映像、つまりテレビジョン放送の映像とホームページの画像とが表示デバイス８の画面に表示されるとともに、映像音声選択部９から出力された音声信号に基づく音声、つまりテレビジョン放送の音声がスピーカ１０から出力される。
【００３７】
このようにしてこのテレビジョン放送受信装置１は、テレビジョン放送の映像と、ホームページの画像とを１画面に表示するようになされている。
【００３８】
ここまで説明した機能にくわえて、このテレビジョン放送受信装置１は、任意のテレビジョン放送の映像を表示している間に、別のテレビジョン放送のテレビジョン映像音声信号を分析して、そのテレビジョン映像音声信号にユーザにとって有用な情報（例えばサッカー番組の得点シーンなど）が含まれていると判別すると、直ちにそのテレビジョン放送の映像を表示する機能（これをリアルタイムダイジェスト機能）を有している。
【００３９】
この機能を実行する場合、テレビジョン放送受信装置１は、制御部２の制御のもと、アンテナ５を介して受信したテレビジョン放送信号を放送受信部６Aと放送受信部６Ｂとに入力する。放送受信部６Ａは、入力されたテレビジョン放送信号から所定のチャンネル（例えばリモコンＲＭの操作により選択されたチャンネル）のテレビジョン放送信号を抽出して、所定の復調処理を施すことにより、デジタルのテレビジョン映像音声信号を得、これを出力する。
【００４０】
放送受信部６Ａから出力されたデジタルのテレビジョン映像音声信号は、映像音声処理部７Ａに入力される。映像音声処理部７Ａは、入力されたテレビジョン映像音声信号をＴＶ映像信号とＴＶ音声信号とに分離した後、それぞれに対して所定のデジタル処理が施したうえで出力する。
【００４１】
映像音声処理部７Ａから出力されたＴＶ映像信号及びＴＶ音声信号は、映像音声選択部９に入力される。映像音声選択部９は、映像音声処理部７Ａより入力されたＴＶ映像信号及びＴＶ音声信号を選択し、ＴＶ映像信号を後段の表示デバイス８で表示可能な映像信号に変換して表示デバイス８に出力するとともに、ＴＶ音声信号を後段のスピーカ１０で再生可能な音声信号に変換してスピーカ１０に出力する。
【００４２】
この結果、所定のチャンネルのテレビジョン放送の映像が表示デバイス８の画面に表示されるとともに、そのテレビジョン放送の音声がスピーカ１０から出力される。
【００４３】
一方、放送受信部６Ｂは、入力されたテレビジョン放送信号から所定のチャンネル（例えば放送受信部６Ａで選択したチャンネルとは別チャンネル）のテレビジョン放送信号を抽出して、所定の復調処理を施すことにより、デジタルのテレビジョン映像音声信号を得、これを出力する。
【００４４】
このようにして放送受信部６Ｂから出力されたデジタルのテレビジョン映像音声信号は、映像分析部１３及び映像音声処理部７Ｂに入力される。映像分析部１３は、入力されたテレビジョン映像音声信号に対して、所定の分析アルゴリズムを用いた分析を常時行う。
【００４５】
ここで、映像分析部１３は、分析の結果、テレビジョン映像音声信号に有用な情報が含まれていると判別した場合には『ＴＲＵＥ』を示す分析結果情報を出力する一方で、それ以外の場合には『ＦＡＬＳＥ』を示す分析結果情報を出力するようになされている。
【００４６】
具体的に言うと、映像分析部１３は、例えば、テレビジョン映像音声信号を分析して、テレビジョン映像音声信号に基づく音声のレベルの変化を『歓声の変化』として常時監視する。そして映像分析部１３は、音声のレベルの変化量が所定量以上である場合に、そのときのテレビジョン映像音声信号に『歓声が大きくなったシーン』、つまりスポーツ番組などの『得点シーン』が含まれていると判別して、『ＴＲＵＥ』を示す分析結果情報を出力する一方で、音声のレベルの変化量が所定量未満である場合には、『ＦＡＬＳＥ』を示す分析結果情報を出力するようになされている。
【００４７】
すなわち、映像分析部１３は、テレビジョン映像音声信号に有用な情報として『得点シーン』が含まれているか否かを示す分析結果情報を出力するようになされている。因に、このように映像に付随する音声を分析する分析アルゴリズムを、以下、音声分析アルゴリズムと呼ぶ。
【００４８】
また、映像分析部１３は、例えば、テレビジョン映像音声信号を分析して、テレビジョン映像音声信号に基づく映像がユーザにより設定された好みのシーン（例えば青空風景のシーン）であるか否かを常時監視する。この場合、映像分析部１３は、例えば、好みのシーンを示すシーン情報（例えば『大部分が青色』など）を保持し、そのときの映像がこのシーン情報に対応する映像であるか否かで、そのときの映像が好みのシーンであるか否かを判別するようになされている。
【００４９】
そして映像分析部１３は、映像が好みのシーンであると判別した場合に、『ＴＲＵＥ』を示す分析結果情報を出力する一方で、映像が好みのシーンでないと判別した場合には、『ＦＡＬＳＥ』を示す分析結果情報のみを出力するようになされている。
【００５０】
すなわち、映像分析部１３は、テレビジョン映像音声信号に有用な情報として『ユーザ好みのシーン』が含まれているか否かを示す分析結果情報を出力するようになされている。因に、このように映像を分析する分析アルゴリズムを、以下、映像分析アルゴリズムと呼ぶ。
【００５１】
このような音声分析アルゴリズム及び映像分析アルゴリズムのうちの１つ選択して、映像分析部１３は、テレビジョン映像音声信号に有用な情報が含まれているか否かを判別し、その判別結果を示す分析結果情報を出力するようになされている。
【００５２】
このようにして映像分析部１３から出力された分析結果情報は、映像音声処理部７Ｂ及び映像音声選択部９に入力される。
【００５３】
映像音声処理部７Ｂは、入力された分析結果情報が『ＴＲＵＥ』である場合にのみ、すなわち放送受信部６Ｂで選択されたチャンネルのテレビジョン映像音声信号に有用な情報が含まれていると判別された場合にのみ、放送受信部６Ｂから入力されたテレビジョン映像音声信号をＴＶ映像信号とＴＶ音声信号とに分離して、所定のデジタル処理を施してから出力する。
【００５４】
映像音声処理部７Ｂから分析結果情報が『ＴＲＵＥ』である場合にのみ出力されたＴＶ映像信号及びＴＶ音声信号は、映像音声選択部９に入力される。このとき、映像音声選択部９には、映像音声処理部７Ａから出力されたＴＶ映像信号及びＴＶ音声信号と、映像音声処理部７Ｂから出力されたＴＶ映像信号及びＴＶ音声信号と、映像分析部１３から出力された『ＴＲＵＥ』を示す分析結果情報とが入力されることになる。
【００５５】
ここで、映像音声選択部９は、分析結果情報が『ＴＲＵＥ』であることから、映像音声処理部７Ａより入力されたＴＶ映像信号及びＴＶ音声信号をメインの映像信号及び音声信号として選択するとともに、映像音声処理部７Ｂより入力されたＴＶ映像信号（つまり有用な情報が含まれているＴＶ映像信号）をサブの映像信号として選択する。そして映像音声選択部９は、メインの映像信号に基づく映像の一部にサブの映像信号に基づく映像（この映像がダイジェスト映像となる）が子画面表示されるようメインの映像信号とサブの映像信号とを合成して１つの映像信号とし、この映像信号を後段の表示デバイス８で表示可能な映像信号に変換して出力するとともに、メインの音声信号を後段のスピーカ１０で再生可能な音声信号に変換してスピーカ１０に出力する。
【００５６】
この結果、表示デバイス８には、図２に示すように、映像音声選択部９から出力された映像信号に基づく映像、つまりユーザが選択したチャンネルのテレビジョン放送の映像の一部に、別のチャンネルのテレビジョン放送の映像で且つユーザにとって有用な映像が子画面表示される。
【００５７】
これにより、テレビジョン放送受信装置１は、任意のチャンネルのテレビジョン放送を視聴しているユーザに対して、別のチャンネルでユーザにとって有用な映像（つまり『得点シーン』や『ユーザ好みのシーン』）が放送されていることをリアルタイムに視認させることができる。
【００５８】
さらに、テレビジョン放送受信装置１は、例えば、子画面表示しているサブの映像（ダイジェスト映像）に興味を持ったユーザによりこの映像をメインの映像に切り替えるようリモコンＲＭを介して操作されると、これに応じて、子画面表示していたサブの映像をメインの映像に切り替える。
【００５９】
かくして、テレビジョン放送受信装置１は、他のチャンネルでユーザにとって有用な映像が放送されている場合に、その旨をユーザに伝え、ユーザ操作に応じて、全画面表示する映像をその映像に切り替えることができる。
【００６０】
この結果、テレビジョン放送受信装置１は、ユーザに対して、有用な映像が、視聴中のチャンネルとは別のチャンネルで放送されているとしても、その映像をリアルタイムで逃さず視聴させることができる。
【００６１】
また、このリアルタイムダイジェスト機能では、テレビジョン映像音声信号に有用な情報として『ホームページを特定する文字』が含まれているか否かを判別し、含まれていると判別した場合に、そのホームページの画像を子画面表示し得るようにもなされている。
【００６２】
この場合、放送受信部６Ｂは、例えば、入力されたテレビジョン放送信号から放送受信部６Ａで選択したチャンネルと同チャンネルのテレビジョン放送信号を抽出して、所定の復調処理を施すことにより、デジタルのテレビジョン映像音声信号を得、これを出力する。
【００６３】
このようにして放送受信部６Ｂから出力されたデジタルのテレビジョン映像音声信号は、映像分析部１３に入力される。映像分析部１３は、入力されたテレビジョン映像音声信号を分析して、テレビジョン映像音声信号に基づく映像にホームページを特定する文字（例えばアドレスを示す『ｈｔｔｐ：／／…』や『＊＊＊を検索！』の＊＊＊の部分など）が含まれているか否かを常時監視する。
【００６４】
そして映像分析部１３は、映像にホームページを特定する文字が含まれていると判別した場合に、『ＴＲＵＥ』を示す分析結果情報と、含まれていた文字とを出力する一方で、映像にホームページを特定する文字が含まれていないと判別した場合には、『ＦＡＬＳＥ』を示す分析結果情報のみを出力するようになされている。
【００６５】
すなわち、映像分析部１３は、テレビジョン映像音声信号に有用な情報として『ホームページを特定する文字』が含まれているか否かを示す分析結果情報を出力するようになされている。因に、このように映像上の文字を分析する分析アルゴリズムを、以下、文字分析アルゴリズムと呼ぶ。
【００６６】
このようにして放送受信部６Ｂから出力された文字分析アルゴリズムによる分析結果情報は、通信部１１及び映像音声選択部９に入力される。因に、文字分析アルゴリズムによる分析結果が『ＴＲＵＥ』である場合、通信部１１には、分析結果情報と共に、ホームページを特定する文字が入力される。
【００６７】
通信部１１は、入力された分析結果情報が『ＴＲＵＥ』である場合にのみ、すなわち放送受信部６Ｂで選択されたチャンネルのテレビジョン映像音声信号に有用な情報が含まれていると判別された場合にのみ、分析結果情報と共に入力されたホームページを特定する文字を利用して、その文字により特定されるホームページのページデータをインターネットＮＴ上のＷｅｂサーバから取得（つまり受信）する。
【００６８】
このようにして分析結果情報が『ＴＲＵＥ』である場合にのみ通信部１１で受信されたページデータは、画像処理部１２に入力される。画像処理部１２は、入力されたページデータをもとに、ページ画像信号を生成して出力する。
【００６９】
画像処理部１２から分析結果情報が『ＴＲＵＥ』である場合にのみ出力されたページ画像信号は、映像音声選択部９に入力される。このとき、映像音声選択部９には、映像音声処理部７Ａから出力されたＴＶ映像信号及びＴＶ音声信号と、画像処理部１２から出力されたページ画像信号と、映像分析部１３から出力された『ＴＲＵＥ』を示す分析結果情報とが入力されることになる。
【００７０】
ここで、映像音声選択部９は、分析結果情報が『ＴＲＵＥ』であることから、映像音声処理部７Ａより入力されたＴＶ映像信号及びＴＶ音声信号をメインの映像信号として選択するとともに、画像処理部１２より入力されたページ画像信号をサブの映像信号として選択する。そして映像音声選択部９は、メインの映像信号に基づく映像の一部にサブの映像信号に基づく映像（ホームページ画像）が子画面表示されるようメインの映像信号とサブの映像信号とを合成して１つの映像信号とし、この映像信号を後段の表示デバイス８で表示可能な映像信号に変換して出力するとともに、メインのＴＶ音声信号を後段のスピーカ１０で再生可能な音声信号に変換してスピーカ１０に出力する。
【００７１】
この結果、表示デバイス８には、図３に示すように、映像音声選択部９から出力された映像信号に基づく映像、つまりユーザが選択したチャンネルのテレビジョン放送の映像の一部に、このチャンネルのテレビジョン放送の映像に含まれていた文字により特定されたホームページの画像が子画面表示される。
【００７２】
これにより、テレビジョン放送受信装置１は、任意のチャンネルのテレビジョン放送を視聴しているユーザに対して、そのチャンネルで放送されている映像に関連付けられているホームページの画像をリアルタイムに視認させることができる。
【００７３】
さらに、テレビジョン放送受信装置１は、例えば、子画面表示しているサブの映像（ホームページ画像）に興味を持ったユーザによりこの映像をメインの映像に切り替えるようリモコンＲＭを介して操作されると、これに応じて、子画面表示していたサブの映像（ホームページ画像）をメインの映像に切り替える。
【００７４】
かくして、テレビジョン放送受信装置１は、視聴中のチャンネルでユーザにとって有用な情報であるホームページを特定する文字が含まれている映像が放送されている場合に、その旨をユーザに伝え、ユーザ操作に応じて、そのホームページの画像を全画面表示することができる。
【００７５】
この結果、テレビジョン放送受信装置１は、映像と、その映像に関するホームページとのリンクを強化することができ、例えば、ホームページのアドレスが含まれているＣＭ映像を表示中に、このＣＭ映像に関連するホームページの画像を自動且つリアルタイムでユーザに提示することができるので、ＣＭの効果を高めることもできる。
【００７６】
このようなリアルタイムダイジェスト機能により、テレビジョン放送受信装置１は、複数のテレビジョン放送から、ユーザに有用な情報が含まれている放送を選択して、その映像、又はその映像に関連するホームページの画像をリアルタイムにユーザに提供することができる。
【００７７】
（１−２）第１の実施の形態によるリアルタイムダイジェスト処理手順
次に、上述したリアルタイムダイジェスト機能を実行する処理の手順（これをリアルタイムダイジェスト処理手順とも呼ぶ）について詳しく説明する。ちなみに、この処理は、主として、テレビジョン放送受信装置１の制御部２が、メモリ３に記憶されているプログラムにしたがって実行する処理である。
【００７８】
テレビジョン放送受信装置１の制御部２は、例えばリモコンＲＭを介したユーザ操作により、リアルタイムダイジェスト機能の設定が有効になったことを認識すると、図４に示すリアルタイムダイジェスト処理手順ＲＴ１を開始して、ステップＳＰ１に移る。
【００７９】
ステップＳＰ１において制御部２は、メインの放送受信部６Ａで選択するチャンネル及びサブの放送受信部６Ｂで選択するチャンネルを設定するとともに、映像分析部１３での分析アルゴリズムを、上述した音声分析アルゴリズム、映像分析アルゴリズム及び文字分析アルゴリズムのうちの１つに設定して、次のステップＳＰ２に移る。
【００８０】
ステップＳＰ２において制御部２は、映像分析部１３に、サブの放送受信部６Ｂから入力されたテレビジョン映像音声信号の分析を開始させて、次のステップＳＰ３に移る。ステップＳＰ３において制御部２は、映像分析部１３から出力された分析結果情報が『ＴＲＵＥ』であるかどうかを判定する。
【００８１】
このステップＳＰ３で否定結果を得ると、このことは、このときのテレビジョン映像音声信号には有用な情報が含まれていないことを示し、このとき制御部２は、ステップＳＰ２に戻り、引き続き映像分析部１３にテレビジョン映像音声信号の分析を行わせる。このとき表示デバイス８に出力される映像信号は、図５（Ａ）に示すように、メインの映像処理装置７Ａから出力されたＴＶ映像信号である。
【００８２】
これに対してこのステップＳＰ３で肯定結果を得ると、このことは、このときのテレビジョン映像音声信号に有用な情報が含まれていることを示し、このとき制御部２は、ステップＳＰ４に移る。
【００８３】
ステップＳＰ４において制御部２は、設定されている分析アルゴリズムが音声分析アルゴリズム又は映像分析アルゴリズムであれば、メインの映像音声処理部７Ａ、サブの映像音声処理部７Ｂ及び映像音声選択部９を制御することにより、メインの映像音声処理部７Ａから出力されたＴＶ映像信号をメインの映像信号として選択するとともに、サブの映像音声処理部７Ｂから出力されたＴＶ映像信号をサブの映像信号として選択する。この結果、表示デバイス８に出力される映像信号は、図５（Ｂ）の時点ｔ１以降（つまり分析結果情報が『ＴＲＵＥ』となった以降）に示すように、メインの映像の一部にサブの映像（ダイジェスト映像）が子画面表示されたものとなる。
【００８４】
またこのステップＳＰ４において制御部２は、設定されている分析アルゴリズムが文字分析アルゴリズムであれば、映像音声処理部７Ａ、映像音声選択部９、通信部１１及び画像処理部１２を制御することにより、映像音声処理部７Ａから出力されたＴＶ映像信号をメインの映像信号として選択するとともに、画像処理部１２から出力されたページ画像信号をサブの映像信号として選択する。この結果、表示デバイス８に出力される映像信号は、図５（Ｃ）の時点ｔ１以降に示すように、メインの映像の一部にサブの映像（ホームページ画像）が子画面表示されたものとなる。
【００８５】
このようにして映像を表示した後、制御部２は、次のステップＳＰ５に移る。ステップＳＰ５において制御部２は、ユーザ操作によりサブの映像（つまりダイジェスト映像またはホームページ画像）が選択されたかどうかを判定する。
【００８６】
このステップＳＰ５で肯定結果を得ると、このとき制御部２は、ステップＳＰ６に移る。ステップＳＰ６において制御部２は、図５（Ｂ）及び（Ｃ）の時点ｔ２以降（つまりサブの映像が選択された以降）に示すように、サブの映像（ダイジェスト映像またはホームページ画像）をメインの映像に切り替えた後、再びステップＳＰ２に戻り、引き続き映像分析部１３にテレビジョン映像音声信号の分析を行わせる。
【００８７】
ここで、制御部２は、設定されている分析アルゴリズムが音声分析アルゴリズム又は映像分析アルゴリズムである場合、映像分析部１３に分析させるテレビジョン映像音声信号も切り替えるようになされている。具体的には、図５（Ｂ）の時点ｔ２以降に示すように、メインの放送受信部６Ａで選択するチャンネルと、サブの放送受信部６Ｂで選択するチャンネルとを入れ替えることで、映像分析部１３に分析させるテレビジョン映像音声信号を切り替える。
【００８８】
一方、上述のステップＳＰ５で否定結果を得ると、このことは、サブの映像（ダイジェスト映像またはホームページ画像）が選択されていないことを示し、このとき制御部２は、ステップＳＰ７に移る。ステップＳＰ７において制御部２は、サブの映像（ダイジェスト映像またはホームページ画像）を表示してから所定時間（例えば１２０秒）経過したかどうかを判定する。
【００８９】
このステップＳＰ７で否定結果を得ると、このことはまだ所定時間経過していないことを示し、このとき制御部２は、ステップＳＰ５に戻る。一方、このステップＳＰ７で肯定結果を得ると、このことは所定時間経過したことを意味し、このとき制御部２は、ステップＳＰ８に移る。
【００９０】
ステップＳＰ８において制御部２は、サブの映像の表示を解除（つまりメインの映像のみを表示）した後、再びステップＳＰ２に戻り、引き続き映像分析部１３にテレビジョン映像音声信号の分析を行わせる。
【００９１】
このようなリアルタイムダイジェスト処理手順にしたがって、制御部２は、リアルタイムダイジェスト機能を実行するようになされている。
【００９２】
（１−３）第１の実施の形態による動作及び効果
以上の構成において、テレビジョン放送受信装置１は、複数のテレビジョン放送を受信して任意のテレビジョン放送の映像を表示している間、別のテレビジョン放送のテレビジョン映像音声信号をリアルタイムに分析して、そのテレビジョン映像音声信号に有用な情報として例えば『得点シーン』や『ユーザ好みのシーン』が含まれているかどうかを判別する。
【００９３】
テレビジョン放送受信装置１は、分析したテレビジョン映像音声信号に『得点シーン』や『ユーザ好みのシーン』が含まれていると判別した時点で、そのテレビジョン映像音声信号を表示対象として選択し、そのテレビジョン映像音声信号に基づく映像（ダイジェスト映像）を、現在表示中のテレビジョン放送の映像の一部に子画面として表示する。
【００９４】
こうすることで、テレビジョン放送受信装置１は、任意のチャンネルのテレビジョン放送を視聴しているユーザに対して、別のチャンネルでユーザにとって有用な映像（つまり『得点シーン』や『ユーザ好みのシーン』）が放送されていることをリアルタイムに視認させることができる。
【００９５】
さらに、テレビジョン放送受信装置１は、ユーザ操作に応じて、子画面表示している映像（ダイジェスト映像）を全画面表示に切り替える。
【００９６】
かくして、テレビジョン放送受信装置１は、ユーザに対して、有用な映像が、視聴中のチャンネルとは別のチャンネルで放送されているとしても、その旨を伝え、その映像をリアルタイムで逃さず視聴させることができる。
【００９７】
またテレビジョン放送受信装置１は、複数のテレビジョン放送を受信して任意のテレビジョン放送の映像を表示している間、同一のテレビジョン放送のテレビジョン映像音声信号をリアルタイムに分析して、そのテレビジョン映像音声信号に有用な情報として例えば『ホームページを特定する文字』が含まれているかどうかを判別する。
【００９８】
テレビジョン放送受信装置１は、テレビジョン映像音声信号に『ホームページを特定する文字』が含まれていると判別した時点で、そのテレビジョン映像音声信号に含まれていた『ホームページを特定する文字』に基づき、ホームページのページ画像信号を得る。
【００９９】
そしてテレビジョン放送受信装置１は、そのページ画像信号を表示対象として選択し、そのページ画像信号に基づく映像（ホームページ画像）を、現在表示中のテレビジョン放送の映像の一部に子画面として表示する。
【０１００】
こうすることで、テレビジョン放送受信装置１は、任意のチャンネルのテレビジョン放送を視聴しているユーザに対して、そのチャンネルで放送されている映像に関連付けられているホームページの画像をリアルタイムに視認させることができる。
【０１０１】
さらに、テレビジョン放送受信装置１は、ユーザ操作に応じて、子画面表示している映像（ホームページ画像）を全画面表示に切り替える。
【０１０２】
かくして、テレビジョン放送受信装置１は、視聴中のチャンネルでホームページを特定する文字が含まれている映像が放送されている場合に、わざわざその文字をメモしてホームページを参照するような操作を行わせることなく、そのホームページの画像をリアルタイムで参照させることができる。
【０１０３】
このようにテレビジョン放送受信装置１は、ハードディスクなどの大容量記録媒体にテレビジョン映像音声信号を記録することなく、複数のテレビジョン映像音声信号から、ユーザに有用な情報が含まれているテレビジョン映像音声信号を選択して、その映像、又はその映像に関連するホームページの画像をリアルタイムにユーザに提供することができる。
【０１０４】
以上の構成によれば、テレビジョン放送受信装置１は、受信した複数のテレビジョン映像音声信号のうちの少なくとも１つを分析して、当該テレビジョン映像音声信号に有用な情報が含まれているかどうかを常時判別し、当該判別結果に基づいて、テレビジョン映像音声信号を選択するようにしたことにより、例えば、所定のテレビジョン映像音声信号に有用な情報が含まれている場合に、当該テレビジョン映像音声信号を自動的に選択して、当該テレビジョン映像音声信号に基づく映像をリアルタイムに表示させることができるので、従来と比して一段と利便性を向上させることができる。
【０１０５】
（２）第２の実施の形態
次に、第２の実施の形態について詳述する。この第２の実施の形態は、主として、分析したテレビジョン映像音声信号に有用な情報が含まれている場合に、そのテレビジョン映像音声信号を表示対象として選択して、表示デバイス８に表示する映像を、そのテレビジョン映像音声信号に基づく映像（ダイジェスト映像）に自動的に切り替える点と、映像分析部１３で複数のテレビジョン映像音声信号を時分割で分析する点とが第１の実施の形態とは異なる形態であり、以下、これらの点を中心に説明する。なお、テレビジョン放送受信装置１の構成については、第１の実施の形態と同一であるので、第１の実施の形態を参照とする。
【０１０６】
（２−１）第２の実施の形態によるリアルタイムダイジェスト処理手順
上述した点を中心に、第２の実施の形態によるリアルタイムダイジェスト処理手順について説明する。
【０１０７】
テレビジョン放送受信装置１の制御部２は、例えばリモコンＲＭを介したユーザ操作により、リアルタイムダイジェスト機能の設定が有効になったことを認識すると、図６に示すリアルタイムダイジェスト処理手順ＲＴ２を開始して、ステップＳＰ１０に移る。
【０１０８】
ステップＳＰ１０において制御部２は、メインの放送受信部６Ａで選択するチャンネル及びサブの放送受信部６Ｂで選択するチャンネルを設定するとともに、映像分析部１３での分析アルゴリズムを、上述した音声分析アルゴリズム及び映像分析アルゴリズムのうちの１つに設定して、次のステップＳＰ１１に移る。
【０１０９】
ステップＳＰ１１において制御部２は、映像分析部１３に、サブの放送受信部６Ｂから入力されたテレビジョン映像音声信号の分析を開始させて、次のステップＳＰ１２に移る。ステップＳＰ１２において制御部２は、映像分析部１３から出力された分析結果情報が『ＴＲＵＥ』であるかどうかを判定する。
【０１１０】
このステップＳＰ１２で否定結果を得ると、このことは、このときのテレビジョン映像音声信号には有用な情報が含まれていないことを示し、このとき制御部２は、ステップＳＰ１３に移る。
【０１１１】
ステップＳＰ１３において制御部２は、放送受信部６Ｂで選択するチャンネルを、別のチャンネルに切り替えることで、映像分析部１３で分析するテレビジョン映像音声信号を別のチャンネルのテレビジョン映像音声信号に切り替えた後、ステップＳＰ１１に戻る。
このとき表示デバイス８に出力される映像信号は、図７の時点ｔ３より前に示すように、メインの映像音声処理部７Ａから出力された所定のチャンネルのＴＶ映像信号である。
【０１１２】
以降、制御部２は、このステップＳＰ１３に移るたびに、映像分析部１３で分析するテレビジョン映像音声信号を別のチャンネルのテレビジョン映像音声信号に所定のローテーションで切り替えることにより、複数のテレビジョン映像音声信号を所定の間隔で時分割分析するようになされている。ただし、現在、映像音声処理部７Ａから出力中のテレビジョン映像音声信号については、ローテーションから外すようになされている。
【０１１３】
一方、上述したステップＳＰ１２で肯定結果を得ると、このことは、このとき分析したテレビジョン映像音声信号に有用な情報が含まれていることを示し、このとき制御部２は、ステップＳＰ１４に移る。
【０１１４】
ステップＳＰ１４において制御部２は、放送受信部６Ａ、映像音声処理部７Ａを制御して、放送受信部６Ａで選択するチャンネルを、このとき放送受信部６Ｂで選択しているチャンネルに切り替えることで、映像音声処理部７Ａから出力されるＴＶ映像信号を、有用な情報が含まれているＴＶ映像信号に切り替える。そして制御部２は、映像音声処理部７Ａから出力されるこのＴＶ映像信号を映像音声選択部９で選択して表示デバイス８に出力する。つまり、このとき表示デバイス８に出力される映像信号は、図７の時点ｔ３以降やｔ４以降（つまり分析結果情報が『ＴＲＵＥ』となった以降）に示すように、有用な情報（例えば『得点シーン』や『ユーザ好みのシーン』）を含んだ映像信号となる。
【０１１５】
このようにして映像を表示した後、制御部２は、ステップＳＰ１３に移り、映像分析部１３で分析するテレビジョン映像音声信号を別のチャンネルのテレビジョン映像音声信号に所定のローテーションで切り替える。
【０１１６】
このようなリアルタイムダイジェスト処理手順にしたがって、制御部２は、リアルタイムダイジェスト機能を実行するようになされている。
【０１１７】
このようにこの第２の実施の形態によるテレビジョン放送受信装置１では、映像分析部１３で複数のテレビジョン映像音声信号を時分割で分析するようにしたことにより、１つの映像分析部１３で複数のテレビジョン映像音声を分析することができ、結果として簡易な構成で複数のテレビジョン映像音声信号を分析することができる。
【０１１８】
またこのテレビジョン放送受信装置１では、分析したテレビジョン映像音声信号に有用な情報が含まれている場合に、そのテレビジョン映像音声信号を表示対象として選択して、表示デバイス８に表示する映像を、そのテレビジョン映像音声信号に基づく映像（ダイジェスト映像）に自動的に切り替えることで、ユーザに対して、何ら操作させることなく、有用な映像をリアルタイムで逃さず視聴させることができる。
【０１１９】
（３）他の実施の形態
なお、上述の第１の実施の形態では、テレビジョン映像音声信号を分析するアルゴリズムとして、所定の音声分析アルゴリズム、映像分析アルゴリズム及び文字分析アルゴリズムを用いるようにした場合について述べたが、本発明はこれに限らず、テレビジョン映像音声信号に有用な情報が含まれているかどうかを判別し得るものであれば、この他種々のアルゴリズムを用いるようにしてもよい。
【０１２０】
例えば、通信部１１によりテレビジョン放送の電子番組表情報を取得して、この電子番組表情報から、例えばユーザに入力させた好みの番組タイトルの番組開始時刻を抽出し、この番組開始時刻に基づいて、テレビジョン映像音声信号に有用な情報として好みの番組タイトルの番組開始シーンが含まれているかどうかを判別するようにしてもよい。ちなみに、電子番組表情報がテレビジョン映像音声信号に重畳されている場合、この電子番組表情報を、例えば、映像音声処理部７Ａ又は７Ｂによりテレビジョン映像音声信号から取得するようにしてもよい。
【０１２１】
また、テレビジョン映像音声信号に、テレビジョン放送におけるメタデータ情報が含まれている場合、このメタデータ情報に基づいて、テレビジョン映像音声信号に有用な情報が含まれているかどうかを判別するようにしてもよい。
【０１２２】
具体的にメタデータ情報には、例えば放送中の番組のシーン名称が記述されているとする。この場合、テレビジョン放送受信装置１は、このメタデータ情報を映像分析部１３によりテレビジョン映像音声信号から取得して、このメタデータ情報に記述されている番組のシーン名称が例えば『得点シーン』や『青空風景』などに切り換わった時点で、このときテレビジョン映像音声信号に有用な情報が含まれていると判別すればよい。
【０１２３】
また、例えば、メタデータ情報に番組内容が記述されている場合に、この番組内容にユーザに入力されたキーワードが含まれているかどうかで、テレビジョン映像音声信号に有用な情報（例えばユーザに入力された名前の人物が登場している映像）が含まれているかどうかを判別するなどしてもよい。
【０１２４】
さらに、複数のアルゴリズムのうち、どのアルゴリズムを用いるのかをユーザに選択させるようにしてもよい。
【０１２５】
また、上述の第１の実施の形態では、分析したテレビジョン映像音声信号に有用な情報が含まれていると判別した時点で、そのテレビジョン映像音声信号またはページ画像信号を表示対象として選択し、そのテレビジョン映像音声信号に基づく映像（ダイジェスト映像又はホームページ画像）を、現在表示中のテレビジョン放送の映像の一部に子画面として表示するようにした場合について述べたが、本発明はこれに限らず、例えば、現在表示中のテレビジョン放送の映像が画面の左半分、ダイジェスト映像又はホームページ画像が画面の右半分となるように二画面表示するようにしてもよいし、この他種々の表示方法で表示するようにしてもよい。
【０１２６】
さらに、この場合、どの表示方法で現在表示中のテレビジョン放送の映像と、ダイジェスト映像又はホームページ画像とを表示させるのかをユーザに選択させるようにしてもよい。
【０１２７】
さらに、上述の第１の実施の形態では、サブの映像を子画面表示してから、所定時間（例えば１２０秒）経過した時点で、サブの映像の子画面表示を解除するようにした場合について述べたが、本発明はこれに限らず、子画面表示を解除するまでの時間（つまりサブの映像の表示時間）をユーザに設定させるようにしてもよい。
【０１２８】
さらに、ここまで説明したアルゴリズムの選択、サブの映像（つまりダイジェスト映像又はホームページ画像）の表示方法及び切り替え方法、サブの映像の表示時間のそれぞれを任意に組み合わせて、細かくユーザに設定させるようにしてもよい。
【０１２９】
この場合、例えば、アルゴリズムごとに、サブの映像を子画面表示にするのか、二画面表示にするのか、自動切り替えにするのか、また子画面表示または二画面表示にするのであれば、その表示時間を何秒にするのかを自由に設定させることもできる。
【０１３０】
このようにすることで、テレビジョン放送受信装置１は、よりユーザが使いやすいリアルタイムダイジェスト機能を提供することができる。
【０１３１】
さらに、上述の第２の実施の形態では、１つの映像分析部１３が、複数のテレビジョン映像音声信号を時分割で分析するようにした場合について述べたが、本発明はこれに限らず、例えば、複数の映像分析部を設けて、それぞれの映像分析部で異なる複数のテレビジョン映像音声信号を時分割に分析するようにしてもよいし、受信可能なテレビジョン映像音声信号の数と同じ数の映像分析部を設けて、それぞれの映像分析部で同時に異なるテレビジョン映像音声信号を分析するようにしてもよい。
【０１３２】
この場合、例えば、有用な情報を含んだテレビジョン映像音声信号が、同時に複数検出された場合に、それぞれに基づく映像を別々の子画面として、表示デバイス８に表示するようにしてもよい。
【０１３３】
さらに、本発明は、上述の第１及び第２の実施の形態及びここまで説明した他の実施の形態に限定されるものではなく、これら第１及び第２の実施の形態及びここまで説明した他の実施の形態の一部または全部を任意に組み合わせた形態、もしくは一部を抽出した形態にもその適用範囲が及ぶものである。例えば、第１の実施の形態と第２の実施の形態とを組み合わせることで、映像分析部１３で分析した所定のテレビジョン映像音声信号に有用な情報が含まれている場合に、表示デバイス８に表示する映像を、そのテレビジョン映像音声信号に基づく映像（ダイジェスト映像）に自動的に切り替えるようにしてもよい。
【０１３４】
この場合、表示デバイス８に出力される映像信号は、図８の時点ｔ５以降（つまり分析結果情報が『ＴＲＵＥ』となった以降）に示すように、有用な情報（例えば『得点シーン』や『ユーザ好みのシーン』）を含んだ映像信号となる。
【０１３５】
さらに、上述の第１及び第２の実施の形態では、複数のチャンネルのテレビジョン映像音声信号を受信して処理するテレビジョン放送受信装置１に本発明を適用するようにした場合について述べたが、本発明はこれに限らず、この他種々の映像信号を複数受信して処理する映像処理装置に適用するようにしてもよい。例えば、インターネット経由で受信した映像信号を処理して、当該映像信号に基づく映像を外部の表示デバイスに表示させるような映像処理装置に本発明を適用するようにしてもよい。
【０１３６】
さらに、上述の第１及び第２の実施の形態では、リアルタイムダイジェスト機能を実行するためのプログラムを、メモリ３にあらかじめ記憶しておくようにした場合について述べたが、本発明はこれに限らず、このプログラムを例えば光ディスクや磁気ディスク、メモリカードなどの記録媒体に記録しておき、このプログラムをテレビジョン放送受信装置１が外部接続した図示しないドライブなどを介して記録媒体から読み出し、メモリ３にインストールするようにしてもよい。
【０１３７】
さらに、上述の第１及び第２の実施の形態では、主として、受信部としての放送受信部６Ａ、６Ｂ及び通信部１１と、映像信号選択部及び表示制御部としての映像音声選択部と、分析部としての映像分析部１３とにより、映像処理装置としてのテレビジョン放送受信装置１を構成するようにした場合について述べたが、本発明はこれに限らず、同様の機能を有するものであれば、これら以外の受信部、映像信号選択部、表示制御部、分析部によってテレビジョン放送受信装置１を構成するようにしてもよい。
【産業上の利用可能性】
【０１３８】
本発明は、例えば、複数のチューナを有するテレビジョン放送受信装置で広く有効利用することができる。
【図面の簡単な説明】
【０１３９】
【図１】テレビジョン放送受信装置の構成を示すブロック図である。
【図２】表示デバイスへの表示例（１）を示す略線図である。
【図３】表示デバイスへの表示例（２）を示す略線図である。
【図４】第１の実施の形態によるリアルタイムダイジェスト処理手順を示すフローチャートである。
【図５】第１の実施の形態による表示する映像信号と分析する映像信号の切り替えの説明に供する略線図である。
【図６】第２の実施の形態によるリアルタイムダイジェスト処理手順を示すフローチャートである。
【図７】第２の実施の形態による表示する映像信号と分析する映像信号の切り替えの説明に供する略線図である。
【図８】他の実施の形態による表示する映像信号と分析する映像信号の切り替えの説明に供する略線図である。
【符号の説明】
【０１４０】
１……テレビジョン放送受信装置、２……制御部、３……メモリ、６Ａ、６Ｂ……放送受信部、７Ａ、７Ｂ……映像音声処理部、８……表示デバイス、９……映像音声選択部、１１……通信部、１２……画像処理部、１３……映像分析部。
【図１】
2009100365.tif 000003
【図２】
2009100365.tif 000004
【図３】
2009100365.tif 000005
【図４】
2009100365.tif 000006
【図５】
2009100365.tif 000007
【図６】
2009100365.tif 000008
【図７】
2009100365.tif 000009
【図８】
2009100365.tif 000010